(57)【要約】【課題】赤外線シグナリングを使用して一次ディスプレイと同じ部屋にある候補コンパニオンディスプレイデバイスを近接検出する方法を提供すること。【解決手段】候補コンパニオンスクリーンデバイスは、ＩＲＤＡを使用して一次デバイスと同じ部屋にあるものとして一次ディスプレイデバイスによって位置付けられ、これに応答して、一次ディスプレイデバイス上に表示されるコンテンツに関係付けられる補助コンテンツが、コンパニオンスクリーンデバイスに提供される。補助コンテンツは、例えばウェブサイトへのリンクをコンパニオンデバイスに提供することによって、一次ディスプレイデバイス上に提示されるコンテンツにおける情報に基づいてインターネットから提供することができる。【選択図】図１
2015171148.tif 000002
【特許請求の範囲】
【請求項１】
プロセッサによって実行可能な命令を担持する少なくとも１つのコンピュータ可読記憶媒体と、
前記コンピュータ可読記憶媒体にアクセスして前記命令を実行するように構成された少なくとも１つのプロセッサと、
を備え、前記命令が、
候補コンパニオンスクリーンデバイス（ＣＣＳＤ）が、一次コンテンツを提示するよう構成された一次ディスプレイデバイス（ＰＤＤ）が配置されている建物の部屋の中にあるかどうかを決定し、
前記ＣＣＳＤが、前記ＰＤＤが配置されている前記建物の部屋の中にあると決定されたことに応答して、前記一次コンテンツに関係付けられた補助コンテンツを前記ＣＣＳＤに提供して、前記補助コンテンツを提示するようにし、及び／又は補助コンテンツへのアクセスに関するメッセージを前記ＣＣＳＤに提供して、前記メッセージを提示させる、
ように前記プロセッサを構成し、前記プロセッサが、前記命令を実行した時に、少なくとも部分的に前記ＰＤＤが配置されている建物の部屋の中に前記ＣＣＳＤがあるかどうかを赤外線（ＩＲ）シグナリングによって決定するよう構成されている、デバイス。
【請求項２】
前記デバイスが前記ＰＤＤによって実装される、請求項１に記載のデバイス。
【請求項３】
前記プロセッサが、前記命令を実行した時に、応答メッセージによって応答するようＣＣＳＤに命令する無線メッセージを送信するよう構成される、請求項１に記載のデバイス。
【請求項４】
前記無線メッセージがＢｌｕｅｔｏｏｔｈを使用して送信され、前記応答メッセージがＩＲを用いて送信される、請求項３に記載のデバイス。
【請求項５】
前記無線メッセージがＷｉ−Ｆｉを用いて送信され、前記応答メッセージがＩＲを用いて送信される、請求項３に記載のデバイス。
【請求項６】
前記無線メッセージがＩＲを用いて送信され、前記応答メッセージがＢｌｕｅｔｏｏｔｈを用いて送信される、請求項３に記載のデバイス。
【請求項７】
前記無線メッセージがＩＲを用いて送信され、前記応答メッセージがＷｉ−Ｆｉを用いて送信される、請求項３に記載のデバイス。
【請求項８】
前記無線メッセージがＩＲを用いて送信され、前記応答メッセージがＩＲを用いて送信される、請求項３に記載のデバイス。
【請求項９】
前記デバイスが前記ＣＣＳＤによって実装される、請求項１に記載のデバイス。
【請求項１０】
プロセッサによって実行可能な命令を担持する少なくとも１つのコンピュータ可読記憶媒体と、
前記コンピュータ可読記憶媒体にアクセスして前記命令を実行するように構成された少なくとも１つのプロセッサと、
を備え、前記命令が、
候補コンパニオンスクリーンデバイス（ＣＣＳＤ）が、一次コンテンツを提示するよう構成された一次ディスプレイデバイス（ＰＤＤ）からの無線メッセージに応答するかどうかを決定し、
前記ＣＣＳＤが前記無線メッセージに応答すると決定されたことに応答して、前記一次コンテンツに関係付けられた補助コンテンツを前記ＣＣＳＤに提供して、前記補助コンテンツを提示するようにし、及び／又は補助コンテンツへのアクセスに関するメッセージを前記ＣＣＳＤに提供して、前記メッセージを提示させる、
ように前記プロセッサを構成し、前記プロセッサが、前記命令を実行した時に、赤外線（ＩＲ）シグナリングを使用して前記無線メッセージを送信することによって及び／又はＩＲを通じて前記無線メッセージに対する前記ＣＣＳＤからの応答を受信することによって、少なくとも部分的にＣＣＳＤが前記無線メッセージに応答するかどうかを決定するよう構成されている、デバイス。
【請求項１１】
前記デバイスが前記ＰＤＤによって実装される、請求項１０に記載のデバイス。
【請求項１２】
前記プロセッサが、前記命令を実行した時に、応答メッセージによって応答するようＣＣＳＤに命令する無線メッセージを送信するよう構成される、請求項１０に記載のデバイス。
【請求項１３】
前記無線メッセージがＢｌｕｅｔｏｏｔｈ又はＷｉ−Ｆｉを用いて送信され、前記応答メッセージがＩＲを用いて送信される、請求項１２に記載のデバイス。
【請求項１４】
前記無線メッセージがＩＲを用いて送信され、前記応答メッセージがＢｌｕｅｔｏｏｔｈ又はＷｉ−Ｆｉを用いて送信される、請求項１２に記載のデバイス。
【請求項１５】
前記無線メッセージがＩＲを用いて送信され、前記応答メッセージがＩＲを用いて送信される、請求項１２に記載のデバイス。
【請求項１６】
プロセッサによって実行可能な命令を担持する少なくとも１つのコンピュータ可読記憶媒体と、
前記コンピュータ可読記憶媒体にアクセスして前記命令を実行するように構成された少なくとも１つのプロセッサと、
を備え、前記命令が、
候補コンパニオンスクリーンデバイス（ＣＣＳＤ）において、一次コンテンツを提示するよう構成された一次ディスプレイデバイス（ＰＤＤ）からの無線メッセージを受信し、
前記無線メッセージの受信に応答して、前記ＰＤＤによって受信された場合に前記一次コンテンツに関係付けられた補助コンテンツを前記ＣＣＳＤに提供して前記補助コンテンツを提示するようにし、及び／又は補助コンテンツへのアクセスに関するメッセージを前記ＣＣＳＤに提供して前記メッセージを提示させるようにする応答メッセージを前記ＰＤＤに送信させる、
ように前記プロセッサを構成し、前記無線メッセージが赤外線（ＩＲ）であり、及び／又は前記応答メッセージがＩＲである、デバイス。
【請求項１７】
前記デバイスが前記ＣＣＳＤによって実装される、請求項１６に記載のデバイス。
【請求項１８】
前記無線メッセージがＢｌｕｅｔｏｏｔｈ又はＷｉ−Ｆｉを用いて送信され、前記応答メッセージがＩＲを用いて送信される、請求項１６に記載のデバイス。
【請求項１９】
前記無線メッセージがＩＲを用いて送信され、前記応答メッセージがＢｌｕｅｔｏｏｔｈ又はＷｉ−Ｆｉを用いて送信される、請求項１６に記載のデバイス。
【請求項２０】
前記無線メッセージがＩＲを用いて送信され、前記応答メッセージがＩＲを用いて送信される、請求項１６に記載のデバイス。
【発明の詳細な説明】
【技術分野】
【０００１】
本出願は、一般に、赤外線シグナリングを使用して候補コンパニオンディスプレイデバイスが一次ディスプレイと同じ部屋にあることを判定することに関する。
【背景技術】
【０００２】
コンピュータエコシステム又はデジタルエコシステムは、持続可能性、自己管理性、及びスケーラビリティによって特徴付けられる適応型及び分散型の社会技術システムである。完全なコンピュータエコシステムは、養分循環及びエネルギーフローを介して相互作用する生物及び非生物構成要素からなる環境エコシステムによって着想され、場合によってはＳｏｎｙのような１つの企業によって提供することが可能なハードウエア、ソフトウエア、及びサービスからなる。各コンピュータエコシステムの目標は、要求される全てのものを、少なくとも１つにはインターネットを介して交換することができるサービス及び／又はソフトウエアを消費者に提供することである。更に、コンピュータクラウド内のアプリケーションのようなエコシステムの要素間での相互接続性及び共有は、データを編成しアクセスする高度の能力を消費者に提供し、このこと自体を効率的な統合的エコシステムの将来の特性として提示する。
【０００３】
コンピュータエコシステムには２つの一般的なタイプがあり、すなわち垂直及び水平コンピュータエコシステムがある。垂直方式では、仮想的にエコシステムの全ての態様が１つの企業によって所有及び制御され、互いにシームレスに対話するよう具体的に設計される。他方、水平エコシステムでは、他のエンティティによって作成されたハードウエア及びソフトウエアのような態様を１つの統一エコシステムに統合する。水平方式は、消費者及び製造者からの多種多様な入力を可能にし、変化する需要に対する新しい技術革新及び適応能力を向上させる。
【０００４】
本明細書に関連する例示的なエコシステムは、無線通信デバイスのようなＴＶ及び様々な近隣ディスプレイデバイスを含む家庭用娯楽エコシステムである。
【発明の概要】
【発明が解決しようとする課題】
【０００５】
本明細書で理解されるように、ＴＶの「コンパニオン」デバイスとして使用することを目的として家庭エコシステムにおいてデバイスとＴＶをペアリングするために、一般にユーザは、家庭内及び多くの場合エコシステムデバイスが無線で発見することがある近隣の家においてエコシステムデバイスの長いリストからデバイスを選択しなければならない。通常は、家の中は勿論のこと、同じ部屋にどのデバイスが存在するかを見つけ出すのはユーザ（人間）次第である。
【課題を解決するための手段】
【０００６】
本発明の原理は、ＴＶなどのオーディオビデオディスプレイデバイス（ＡＶＤＤ）のような一次ディスプレイデバイス（ＰＤＤ）が、候補コンパニオンスクリーンデバイス（ＣＣＳＤ）、例えば、タブレットコンピュータ、無線電話、及び家庭エコシステムに存在するだけでなくＰＤＤと同じ部屋にある同様のものを発見できるようにすることに関する。このことは、ＰＤＤが位置する部屋の外部にあるＣＣＳＤが有用ではないか又は部屋の外部のデバイスのユーザがＰＤＤを見ることができない場合に補助コンテンツの表示が望ましい時に、複数のＣＣＳＤの１つをインテリジェントに選択してＰＤＤに表示される一次コンテンツに関係付けられた補助コンテンツの提示を選択することを可能にする。ＰＤＤは、ユーザがＣＣＳＤに補助データを提示することを望むかどうかに関するメッセージをＰＤＤと同じ部屋のＣＣＳＤに送信することができる。
【０００７】
再生中のコンテンツに重点を置くデバイスである場合には、ＰＤＤは無線タブレットのような比較的小さなディスプレイを備えたデバイスによって設定できる点に留意されたい。このシナリオでは、ＣＣＳＤは、例えば本発明の原理に影響を与えることなく大画面のＴＶによって設定することができる。
【０００８】
従って、デバイスは、プロセッサによって実行可能な命令を担持する少なくとも１つのコンピュータ可読記憶媒体と、コンピュータ可読記憶媒体にアクセスして命令を実行するように構成された少なくとも１つのプロセッサとを含み、上記命令は、候補コンパニオンスクリーンデバイス（ＣＣＳＤ）が、一次ディスプレイデバイス（ＰＤＤ）が配置されている建物の部屋の中にあるかどうかを決定するようにプロセッサを構成している。ＰＤＤは、一次コンテンツを提示するよう構成されている。ＰＤＤが配置されている建物の部屋の中にＣＣＳＤがあると決定されたことに応答して、プロセッサは、命令を実行した時に、一次コンテンツに関係付けられた補助コンテンツをＣＣＳＤに提供して補助コンテンツの提示するようにし、及び／又は補助コンテンツへのアクセスに関するメッセージをＣＣＳＤに提供して、メッセージの提示させるように構成される。プロセッサは、命令を実行した時に、少なくとも部分的にＰＤＤが配置されている建物の部屋の中にＣＣＳＤがあるかどうかを赤外線（ＩＲ）シグナリングによって決定するよう構成される。
【０００９】
デバイスは、ＰＤＤによって又はＣＣＳＤによって、或いはこれらの組み合わせによって実装することができる。
【００１０】
特定の実施例において、プロセッサは、命令を実行した時に、応答メッセージによって応答するようＣＣＳＤに命令する無線メッセージを送信するよう構成される。幾つかの実施例において、無線メッセージは、Ｂｌｕｅｔｏｏｔｈを使用して送信され、応答メッセージはＩＲを使用して送信される。他の実施例では、無線メッセージは、Ｗｉ−Ｆｉを使用して送信され、応答メッセージはＩＲを使用して送信される。他の実施例では、無線メッセージがＩＲを使用して送信され、応答メッセージがＢｌｕｅｔｏｏｔｈを使用して送信される。他の実施例では、無線メッセージがＩＲを使用して送信され、応答メッセージがＷｉ−Ｆｉを使用して送信される。他の実施例では、無線メッセージがＩＲを使用して送信され、応答メッセージがＩＲを使用して送信される。
【００１１】
別の態様において、デバイスは、プロセッサによって実行可能な命令を担持する少なくとも１つのコンピュータ可読記憶媒体と、コンピュータ可読記憶媒体にアクセスして命令を実行するように構成された少なくとも１つのプロセッサと、を含み、上記命令は、候補コンパニオンスクリーンデバイス（ＣＣＳＤ）が、一次ディスプレイデバイス（ＰＤＤ）からの無線メッセージに応答するかどうかを決定するようプロセッサを構成する。ＰＤＤは、一次コンテンツを提示するよう構成される。ＣＣＳＤが無線メッセージに応答すると決定されたことに応答して、プロセッサは、命令を実行した時に、一次コンテンツに関係付けられた補助コンテンツをＣＣＳＤに提供して、補助コンテンツを提示するようにし、及び／又は補助コンテンツへのアクセスに関するメッセージをＣＣＳＤに提供してメッセージの提示させるように構成される。プロセッサは、命令を実行した時に、赤外線（ＩＲ）シグナリングを使用して無線メッセージを送信することによって及び／又はＩＲを通じて無線メッセージに対するＣＣＳＤからの応答を受信することによって、少なくとも部分的にＣＣＳＤが無線メッセージに応答するかどうかを決定するよう構成されている。
【００１２】
別の態様において、デバイスは、プロセッサによって実行可能な命令を担持する少なくとも１つのコンピュータ可読記憶媒体と、コンピュータ可読記憶媒体にアクセスして命令を実行するように構成された少なくとも１つのプロセッサとを含み、上記命令は、候補コンパニオンスクリーンデバイス（ＣＣＳＤ）において、一次ディスプレイデバイス（ＰＤＤ）からの無線メッセージを受信するようプロセッサを構成する。ＰＤＤは、一次コンテンツを提示するよう構成される。無線メッセージの受信に応答して、プロセッサは、命令を実行した時に、ＰＤＤによって受信された場合に、一次コンテンツに関係付けられた補助コンテンツをＣＣＳＤに提供して補助コンテンツを提示させるようにし、及び／又は補助コンテンツへのアクセスに関するメッセージをＣＣＳＤに提供してメッセージを提示させるようにする応答メッセージをＰＤＤに送信させるよう構成される。無線メッセージは赤外線（ＩＲ）であり、及び／又は応答メッセージはＩＲである。
【００１３】
本発明の詳細事項は、その構造及び動作の両方に関して、同じ参照符号が同じ要素を示す添付図面を参照すると最も良く理解することができる。
【図面の簡単な説明】
【００１４】
【図１】本発明の原理による実施例を含む例示的なシステムのブロック図である。
【図２】本発明の原理による例示的なアルゴリズムを示すフローチャートである。
【図３】本発明の原理による例示的なアルゴリズムを示すフローチャートである。
【図４】本発明の原理による例示的なアルゴリズムを示すフローチャートである。
【図５】本発明の原理によるコンパニオンスクリーンデバイスを示す例示的な画面図である。
【図６】本発明の原理によるコンパニオンスクリーンデバイスを示す例示的な画面図である。
【図７】本発明の原理によるコンパニオンスクリーンデバイスを示す例示的な画面図である。
【発明を実施するための形態】
【００１５】
本開示は、一般的に、コンピュータエコシステムにおけるユーザ情報に基づく消費者電子機器（ＣＥ）デバイスの態様を含むコンピュータエコシステムに関する。本明細書におけるシステムは、クライアントとサーバ構成要素との間でデータを交換することができるようなネットワークを通じて接続されたサーバ及びクライアント構成要素を含むことができる。クライアント構成要素は、ポータブルテレビジョン（例えば、スマートＴＶ、インターネット対応ＴＶ）、ラップトップ及びタブレットコンピュータのようなポータブルコンピュータ、並びにスマートフォン及び以下に説明される別の実施例を含む他のモバイルデバイスを含む、１又はそれ以上のコンピュータデバイスを含むことができる。これらのクライアントデバイスは、多種多様な動作環境で動作することができる。例えば、クライアントコンピュータの一部は、実施例として、Ｍｉｃｒｏｓｏｆｔ製のオペレーティングシステム、又はＵｎｉｘオペレーティングシステム、或いはＡｐｐｌｅ  Ｃｏｍｐｕｔｅｒ又はＧｏｏｇｌｅによって作製されたオペレーティングシステムを利用することができる。これらの動作環境は、Ｍｉｃｒｏｓｏｆｔ又はＧｏｏｇｌｅ又はＭｏｚｉｌｌａ製のブラウザ、或いは以下に説明されるインターネットサーバによってホストされるウェブアプリケーションにアクセスすることができる他のブラウザプログラムのような、１又はそれ以上のブラウザプログラムを実行するのに使用することができる。
【００１６】
サーバは、インターネットのようなネットワークを通じてデータを受信及び送信するようサーバを構成する命令を実行する１又はそれ以上のプロセッサを含むことができる。又は、クライアント及びサーバは、ローカルインターネット又は仮想プライベートネットワークを通じて接続することができる。
【００１７】
クライアントとサーバの間のネットワークを通じて情報を交換することができる。このため及びセキュリティのために、サーバ及び／又はクライアントは、ファイヤウォール、ロードバランサ、一時記憶装置、及びプロキシ、並びに信頼性及びセキュリティのための他のネットワークインフラストラクチャを含むことができる。１又はそれ以上のサーバは、オンラインソーシャルウェブサイトのようなセキュアコミュニティをネットワークメンバに提供する方法を実行する装置を形成することができる。
【００１８】
本明細書で使用する命令とは、システムにおける情報を処理するためのコンピュータで実行されるステップを指す。命令は、ソフトウエア、ファームウエア又はハードウエアにおいて実装され、本システムの構成要素によって行われる何れかの種類のプログラムステップを含むことができる。
【００１９】
プロセッサは、アドレスライン、データライン、及び制御ラインのような様々なライン、並びにレジスタ及びシフトレジスタによって論理を実行することができる何れかの従来の汎用シングルチップ又はマルチチッププロセッサとすることができる。
【００２０】
フローチャートによって説明されるソフトウエアモジュール及び本明細書のユーザインタフェースは、様々なサブルーチン、手順、その他を含むことができる。本開示を限定することなく、特定のモジュールによって実行されることになる記載される論理は、他のソフトウエアモジュールに再分散することができ、及び／又は単一のモジュールに結合することができ、及び／又は共有可能なライブラリで入手可能とすることができる。
【００２１】
本明細書で記載される本発明の原理は、ハードウエア、ソフトウエア、ファームウエア、又はこれらの組み合わせとして実施することができ、従って、例示の構成要素、ブロック、モジュール、回路、及びステップがその機能に関して記載されている。
【００２２】
上記で示唆されたものに加えて、以下に説明される論理ブロック、モジュール、及び回路は、汎用プロセッサ、デジタルシグナルプロセッサ（ＤＳＰ）、フィールドプログラマブルゲートアレイ（ＦＰＧＡ）、又は特定用途向け集積回路（ＡＳＩＣ）のような他のプログラム可能論理デバイス、離散的ゲート又はトランジスタ論理、離散的ハードウエア構成要素、又は本明細書に記述される機能を実行するよう設計されたこれらの何れかの組み合わせによって実施又は実行することができる。プロセッサは、コントローラ又は状態マシン、或いはコンピュータデバイスの組み合わせによって実装することができる。
【００２３】
以下に説明する機能及び方法は、ソフトウエアで実装される時に、限定ではないがＣ＃又はＣ＋＋などのような適切な言語で記述することができ、ランダムアクセスメモリ（ＲＡＭ）、読出し専用メモリ（ＲＯＭ）、電気的消去可能プログラム可能読出し専用メモリ（ＥＥＰＲＯＭ）、コンパクトディスク読出し専用メモリ（ＣＤ−ＲＯＭ）又はデジタル多機能ディスク（ＤＶＤ）のような他の光学ディスク記憶装置、磁気ディスク記憶装置又は取外し可能サムドライブなどを含む他の磁気記憶デバイスに格納し、又はこれらを通じて伝達することができる。接続は、コンピュータ可読媒体を設定することができる。このような接続は、実施例として、光ファイバ、同軸ワイヤ及びデジタル加入者回線（ＤＳＬ）及びツイスト線を含む有線ケーブルを含むことができる。このような接続は、赤外線及び無線を含む無線通信接続を含むことができる。
【００２４】
１つの実施形態に含まれる構成要素は、何れかの適切な組み合わせで他の実施形態において使用することができる。例えば、本明細書に記述する及び／又は図示された様々な構成要素の何れかを他の実施形態と組み合わせ、交換し、又は他の実施形態から除外することができる。
【００２５】
「Ａ、Ｂ、及びＣのうちの少なくとも１つを有するシステム」（同様に「Ａ、Ｂ、又はＣのうちの少なくとも１つを有するシステム」及び「Ａ、Ｂ、Ｃのうちの少なくとも１つを有するシステム」）は、Ａだけ、Ｂだけ、Ｃだけ、ＡとＢとを合わせて、ＡとＣとを合わせて、ＢとＣとを合わせて、及び／又はＡとＢとＣとを合わせて有するシステムを含む。
【００２６】
ここで図１を具体的に参照すると、本発明の原理による、上述され且つ以下で更に説明される例示的なデバイスの１又はそれ以上を含むことができる例示的なエコシステム１０が示されている。システム１０に含まれる例示的なデバイスの第１は、例示的な一次ディスプレイデバイスであり、実施形態においては、限定ではないがインターネット対応ＴＶのようなオーディオビデオディスプレイデバイス（ＡＶＤＤ）１２が示されている。従って、ＡＶＤＤ１２は、代替として、家電又は家庭用アイテム、例えばコンピュータ制御のインターネット対応冷蔵庫、洗濯機、又は乾燥機とすることができる。ＡＶＤＤ１２はまた、代替として、コンピュータ制御のインターネット対応（「スマート」）電話、タブレットコンピュータ、ノートブックコンピュータ、例えば、コンピュータ制御のインターネット対応時計、コンピュータ制御のインターネット対応ブレスレット、他のコンピュータ制御のインターネット対応デバイス、コンピュータ制御のインターネット対応音楽プレーヤ、コンピュータ制御のインターネット対応ヘッドフォン、埋め込み型皮膚デバイスなどのようなコンピュータ制御のインターネット対応埋め込み可能デバイスなどのウェアラブルコンピュータ制御デバイスとすることができる。何れにしても、ＡＶＤＤ１２が本発明の原理を実施する（例えば、本発明の原理を実施するために他のＣＥデバイスと通信し、本明細書に記述される論理を実行して、本明細書に記述される何れかの他の機能及び／又は動作を実行する）ように構成される点を理解されたい。
【００２７】
従って、このような原理を実施するために、ＡＶＤＤ１２は、図１に示された構成要素の一部又は全てにより設定することができる。例えば、ＡＶＤＤ１２は、高解像度又は超高解像度フラットスクリーンによって実装することができ、またディスプレイ上のタッチを介してユーザ入力信号を受信するタッチ対応とすることができる１又はそれ以上のディスプレイ１４を含むことができる。ＡＶＤＤ１２は、本発明の原理によるオーディオを出力する１又はそれ以上のスピーカ１６、並びに、例えばＡＶＤＤ１２を制御するための可聴コマンドをＡＶＤＤ１２に入力するオーディオ受信機／マイクロフォンのような少なくとも１つの追加の入力デバイス１８を含むことができる。例示的なＡＶＤＤ１２はまた、１又はそれ以上のプロセッサ２４の制御下で、インターネット、ＷＡＮ、ＬＡＮ、その他などの少なくとも１つのネットワーク２２を通じた通信のための１又はそれ以上のネットワークインタフェース２０を含むことができる。従って、インタフェース２０は、限定ではないが、無線コンピュータネットワークインタフェースの１つの実施例であるＷｉ−Ｆｉ送受信機とすることができる。プロセッサ２４は、例えば、画像を提示するようディスプレイ１４を制御し、その画像から入力を受信するなど、本明細書で記載されるＡＶＤＤ１２の他の要素を含めて、本発明の原理を実施するようにＡＶＤＤ１２を制御する点を理解されたい。更に、ネットワークインタフェース２０は、例えば、有線又は無線モデム又はルータ、又は例えば無線電話送受信機又は上述されたようなＷｉ−Ｆｉ送受信機のような他の適切なインタフェースとすることができる点に留意されたい。
【００２８】
上記のことに加えて、ＡＶＤＤ１２はまた、例えば、別のＣＥデバイスに（例えば、有線接続を使用して）物理的に接続するためのＵＳＢポート及び／又はＡＶＤＤ１２からヘッドフォンを介してユーザにオーディオを提示するためにヘッドフォンをＡＶＤＤ１２に接続するヘッドフォンポートなど、１又はそれ以上の入力ポート２６を含むことができる。ＡＶＤＤ１２は更に、ディスクベース又は半導体記憶装置のような１又はそれ以上の有形コンピュータ可読記憶媒体２８を含むことができる。また、幾つかの実施形態では、ＡＶＤＤ１２は、限定ではないが、携帯電話受信機、ＧＰＳ受信機、及び／又は高度計３０などの位置又はロケーション受信機を含むことができ、これは、例えば少なくとも１つの衛星又は携帯電話タワーから地理的位置情報を受信して、この情報をプロセッサ２４に提供し、及び／又はＡＶＤＤ１２がプロセッサ２４と共に配置されている高度を決定するよう構成される。しかしながら、例えば全３次元で例えばＡＶＤＤ１２の位置を決定するために、携帯電話受信機、ＧＰＳ受信機及び／又は高度計以外の別の適切な位置受信機を本発明の原理に従って使用できる点は理解されたい。
【００２９】
ＡＶＤＤ１２の説明を続けると、幾つかの実施形態において、ＡＶＤＤ１２は、本発明の原理に従って写真／画像及び／又はビデオを収集するための１又はそれ以上のカメラ３２を含むことができ、これらは、例えば、サーマルイメージングカメラ、ウェブカメラのようなデジタルカメラ、及び／又はＡＶＤＤ１２に統合され且つプロセッサ２４によって制御可能なカメラとすることができる。また、ＡＶＤＤ１２に含まれるのは、Ｂｌｕｅｔｏｏｔｈ及び／又はＮＦＣ技術をそれぞれ使用して他のデバイスと通信するＢｌｕｅｔｏｏｔｈ送受信機３４及び他の近距離無線通信（ＮＦＣ）要素３６とすることができる。例示的なＮＦＣ要素は、無線固体識別（ＲＦＩＤ）要素とすることができる。
【００３０】
更にまた、ＡＶＤＤ１２は、入力をプロセッサ２４に提供する１又はそれ以上の補助センサ３７（例えば、加速度計、ジャイロスコープ、サイクロメータ、又は磁気センサ、赤外線（ＩＲ）センサ、光学センサ、速度及び／又は歩調センサ、ジェスチャセンサ（例えば、ジェスチャコマンドを感知する）、その他のような動きセンサ）を含むことができる。ＡＶＤＤ１２は更に、入力をプロセッサ２４に提供する例えば１又はそれ以上の気候センサ３８（例えば、バロメータ、湿度センサ、風センサ、光センサ、温度センサなど）及び／又は１又はそれ以上の生体計測センサ４０のような他のセンサを含むことができる。上記のことに加えて、ＡＶＤＤ１２はまた、ＩＲデータアソシエーション（ＩＲＤＡ）デバイスのような赤外線（ＩＲ）送信機及び／又はＩＲ受信機及び／又はＩＲ送受信機４２を含むことができる点に留意されたい。ＡＶＤＤ１２に給電するためにバッテリ（図示せず）を設けることができる。
【００３１】
図１を更に参照すると、ＡＶＤＤ１２に加えて、システム１０は、ＡＶＤＤ１２によって設定された一次ディスプレイデバイスのための候補コンパニオンスクリーンデバイスを確立することができる１又はそれ以上の他のＣＥデバイスタイプを含むことができる。１つの実施例において、第１候補コンパニオンスクリーンデバイスは、第１ＣＥデバイス４４によって設定され、第２コンパニオンスクリーンデバイスは、第１ＣＥデバイス４４と類似の構成要素を含むことができる第２ＣＥデバイス４６によって設定することができ、従って、詳細には説明しない。図示の実施例において、２つのＣＥデバイス４４、４６だけが候補コンパニオンスクリーンデバイスとして示されているが、１つの候補コンパニオンスクリーンデバイスのみ、或いは２つよりも多い候補コンパニオンスクリーンデバイスを使用してもよい点は理解されたい。
【００３２】
図示の実施例において、本発明の原理を例示するために、３つのデバイス１２、４４、４６全てが、住居における家庭娯楽ネットワークのメンバであるか、又は住宅などの場所において少なくとも互いに近接して存在していると仮定する。しかしながら、本発明の原理の例示において、第１ＣＥデバイス４４は、破線４８で示される壁によって境界付けられたＡＶＤＤ１２と同じ部屋内に存在すると仮定し、他方、第２ＣＥデバイス４６は、必ずしも第１デバイス４４よりもＡＶＤＤ１２から遠く離れておらず、実際には第１ＣＥデバイス４４よりもＡＶＤＤ１２により近接しているが、壁４８によって境界付けられた部屋の外側にあるとする。
【００３３】
限定ではない例示的な第１ＣＥデバイス４４は、上述のデバイスの何れか１つによって設定することができ、従って、以下で説明される構成要素の１又はそれ以上を有することができる。具体的には、第１ＣＥデバイス４４は、ディスプレイ上のタッチを介したユーザ入力信号を受信するためにタッチ対応とすることができる１又はそれ以上のディスプレイ５０を含むことができる。第１ＣＥデバイス４４は、本発明の原理によるオーディオを出力するための１又はそれ以上のスピーカ５２、及び例えばデバイス４４を制御するための可聴コマンドを第１ＣＥデバイス４４に入力するオーディオ受信機／マイクロフォンのような少なくとも１つの追加の入力デバイス５４を含むことができる。例示的な第１ＣＥデバイス４４はまた、１又はそれ以上のＣＥデバイスプロセッサ５８の制御下でネットワーク２２を通じた通信のための１又はそれ以上のネットワークインタフェース５６を含むことができる。従って、インタフェース５６は、限定ではないが、無線コンピュータネットワークインタフェースの１つの実施例であるＷｉ−Ｆｉ送受信機とすることができる。プロセッサ５８は、例えば画像を提示してその画像から入力を受け取るようにディスプレイ５０を制御するような本明細書に記載される第１ＣＥデバイス４４の他の要素を含む第１ＣＥデバイス４４を制御して、本発明の原理を実施することを理解されたい。更に、ネットワークインタフェース５６は、例えば有線又は無線モデム又はルータ、もしくは例えば無線電話送受信機のような他の適切なインタフェース、或いは上述のようなＷｉ−Ｆｉ送受信機、その他とすることができる点に留意されたい。
【００３４】
上記のことに加えて、第１ＣＥデバイス４４はまた、例えば、別のＣＥデバイスに（例えば、有線接続を使用して）物理的に接続するためのＵＳＢポート、及び／又は第１ＣＥデバイス４４からヘッドフォンを介してユーザにオーディオを提示するために第１ＣＥデバイス４４にヘッドフォンを接続するためのヘッドフォンポートのような、１又はそれ以上の入力ポート６０を含むことができる。第１ＣＥデバイス４４は更に、ディスクベース又は半導体記憶装置のような１又はそれ以上の有形コンピュータ可読記憶媒体６２を含むことができる。また幾つかの実施形態では、第１ＣＥデバイス４４は、限定ではないが、携帯電話及び／又はＧＰＳ受信機及び／又は高度計６４のような位置又はロケーション受信機を含むことができ、これは、例えば三角測量を使用して少なくとも１つの衛星及び／又はセルタワーから地理的位置情報を受信し、この情報をＣＥデバイスプロセッサ５８に提供し、及び／又は第１ＣＥデバイス４４がＣＥデバイスプロセッサ５８と共に配置される高度を決定するように構成される。しかしながら、例えば全３次元における第１ＣＥデバイス４４の位置を決定するために、携帯電話及び／又はＧＰＳ受信機及び／又は高度計以外の別の適切な位置受信機を本発明の原理に従って使用できることは理解されたい。
【００３５】
第１ＣＥデバイス４４の説明を続けると、幾つかの実施形態において、第１ＣＥデバイス４４は、本発明の原理に従って写真／画像及び／又はビデオを収集する１又はそれ以上のカメラ６６を含むことができ、これらは、例えばサーマルイメージングカメラ、ウェブカメラのようなデジタルカメラ、及び／又は第１ＣＥデバイス４４に統合されＣＥデバイスプロセッサ５８によって制御可能なカメラとすることができる。また、第１ＣＥデバイス４４に含まれるのは、Ｂｌｕｅｔｏｏｔｈ及び／又はＮＦＣ技術をそれぞれ使用して他のデバイスと通信するＢｌｕｅｔｏｏｔｈ送受信機６８及び他の近距離通信（ＮＦＣ）要素７０とすることができる。例示的なＮＦＣ要素は無線個体識別（ＲＦＩＤ）要素とすることができる。
【００３６】
更にまた、第１ＣＥデバイス４４は、入力をＣＥデバイスプロセッサ５８に提供する１又はそれ以上の補助センサ７２（例えば、加速度計、ジャイロスコープ、サイクロメータ、又は磁気センサ、赤外線（ＩＲ）センサ、光学センサ、速度及び／又は歩調センサ、ジェスチャセンサ（例えば、ジェスチャコマンドを感知する）、その他）のような動きセンサ）を含むことができる。第１ＣＥデバイス４４は更に、ＣＥデバイスプロセッサ５８に入力を提供する、例えば１又はそれ以上の気候センサ７４（例えば、バロメータ、湿度センサ、風センサ、光センサ、温度センサ、その他）及び／又は１又はそれ以上の生体計測センサ７６のような更に他のセンサを含むことができる。上記のことに加えて、幾つかの実施形態において、第１ＣＥデバイス４４は、ＩＲデータアソシエーション（ＩＲＤＡ）デバイスのような赤外線（ＩＲ）送信機及び／又はＩＲ受信機及び／又はＩＲ送受信機４２を含むことができる点に留意されたい。第１ＣＥデバイス４４に給電するためにバッテリ（図示せず）を設けることができる。第２ＣＥデバイス４６は、ＣＥデバイス４４において示された構成要素の一部又は全てを含むことができる。
【００３７】
ここで上述の少なくとも１つのサーバ８０を参照すると、サーバ８０は、少なくとも１つのサーバプロセッサ８２と、ディスクベース又は半導体記憶装置のような少なくとも１つの有形コンピュータ可読記憶媒体８４と、サーバプロセッサ８２の制御下でネットワーク２２を通じて図１の他のデバイスとの通信を可能にし、実際に本発明の原理に従ってサーバとクライアントデバイスとの間の通信を可能にすることができる少なくとも１つのネットワークインタフェース８６とを含む。ネットワークインタフェース８６は、例えば有線又は無線モデムもしくはルータ、Ｗｉ−Ｆｉ送受信機、又は例えば無線電話送受信機のような他の適切なインタフェースとすることができる点に留意されたい。
【００３８】
従って、幾つかの実施形態において、サーバ８０は、インターネットサーバとすることができ、例示的な実施形態では、「クラウド」機能を含み実行し、これによってシステム１０のデバイスがサーバ８０を介して「クラウド」環境にアクセスすることができる。
【００３９】
図２は、本発明の原理による全体論理を示す。幾つかの実施例において、ブロック８８において、事象トリガを受信して、その後の論理を作動することができる。例えば、特定の俳優又は製品又はサウンドが表示され、或いは放送チャンネルのプログラム変更が、プログラムにおけるメタデータによって、又はＡＶＤＤプロセッサ２４により要求される画像認識によって、又は独立型モードで及び／又は分析結果をＡＶＤＤ１２に送信する分析のためのクラウドサーバ８０に画像／音声をアップロードすることによる何れかでマイクロフォン１８によって検出されプロセッサ２４によって分析されたＡＶＤＤ１２スピーカ１６に提示される音声認識によって指示されるように、ＡＶＤＤ１２に提示される。或いは、以下の検出原理を使用して、ＡＶＤＤ１２は、ＡＶＤＤ１２が配置されている部屋に候補コンパニオンデバイス４４又は４６が運ばれたことを認識することができ、このような認識をトリガとして使用することができる。
【００４０】
何れにしても、以下で更に記載されるように、ブロック９０において、ＡＶＤＤ１２は、ＡＶＤＤ１２と同じ部屋にある候補コンパニオンスクリーンを位置付け、近くではあるが壁４８の外側にある候補コンパニオンスクリーンを除外する。ブロック９２において、ＡＶＤＤ１２と同じ部屋にあるものとして検出された１又はそれ以上の候補コンパニオンスクリーンは、例えば、ＡＶＤＤ１２に提示されるプログラムに関連付けられるコンピュータサイトにコンパニオンスクリーンをリンク付けすることによってＡＶＤＤ１２に提示されるプログラムに関係付けられる補助フィードを備える。このリンク付けは、ＡＶＤＤ１２からユーザが選択できるコンパニオンスクリーンへのネットワークアドレス又はリンクを単純に提供することを必然的に必要とし、これにより、ネットワークブラウザが、家庭内ネットワーク上、ＰＤＤ自体上、又はインターネット上でコンピュータネットワークサイトにアクセスし、補助フィード／コンテンツ／データ（同義的に使用される）を供給し、或いは、このリンク付けは自動化することもでき、例えば、ＡＶＤＤは、これを達成するための何らかのユーザ動作もなしに、特定のネットワークサイトに自動的にアクセスして、補助フィード／コンテンツ／データのダウンロードを自動的に開始するようコンパニオンスクリーンデバイスに命令することができる。
【００４１】
図３は、例示的な論理を示す。ブロック９４において開始して、ＰＤＤは、Ｂｌｕｅｔｏｏｔｈ、Ｗｉ−Ｆｉ、又はこれらの組み合わせを使用して１つずつ、候補コンパニオンスクリーンデバイス（ＣＣＳＤ）にＰＩＮＧを、基本的には無線メッセージを送信することができる。無線メッセージは、例えば、Ｂｌｕｅｔｏｏｔｈ発見原理、ＵＰ−ｎ−Ｕｐ、Ｂｏｎｊｏｕｒによって、又はユーザによるＰＤＤへのマニュアル入力として、或いは他の手段によって発見された各ＣＣＳＤのネットワークアドレスにアドレス指定される。無線メッセージは、ＩＲを使用して（例えばＩＲＤＡを使用して）応答するよう受信側ＣＣＳＤに指示する値を含む。この値は、曖昧さを低減するために、ＩＲを通じて特定の応答コードによってコードに応答するよう受信側ＣＣＳＤに指示することができる。
【００４２】
決定ダイアモンド９６に進み、ＰＤＤが、要求時の正しい応答コードを含む、１又はそれ以上のＣＣＳＤからの無線メッセージに対するＩＲを介した応答を受信するかどうかが決定される。ここで、ＩＲは壁を通過することができないので、ＩＲを通じて正しい応答を受信するＰＤＤは、応答発信者がＰＤＤと同じ部屋にいることを推測することができ、従って、この目的において、ＣＣＳＤが補助データを提示するための優良な候補になる可能性があると決定できることは理解することができる。
【００４３】
決定ダイアモンド９６での肯定テストに応答して、論理はブロック９８に進むことができる。決定ダイアモンド９６において１つのＣＣＳＤだけが肯定テストを生じた場合、ブロック９８において、（例えば、ＰＤＤからＢｌｕｅｔｏｏｔｈ送信機３４を介して、又はＮＦＣ要素３６を介して、又はネットワークインタフェース２０を介して、又はＩＲ要素４２を介して）ＣＣＳＤに（例えば、その適切なネットワークアドレスを使用して）ＰＤＤに対するコンパニオンスクリーンとしてのＣＣＳＤの使用を要請するメッセージを送信することができる。このようなメッセージの実施例が以下で更に示される。図２のブロック９２の論理は、要請されたＣＣＳＤのユーザがこの要請を受け入れた場合に利用することができる。
【００４４】
複数のＣＣＳＤが決定ダイアモンド９６に対して肯定的応答をトリガした場合、ブロック９８の論理をこのような各ＣＣＳＤに対して実行し、このような各ＣＣＳＤにメッセージを送信することができる。又は、ブロック９８の論理は、最大信号強度を有する応答信号を送信するＣＣＳＤの１つに対してのみ実行することができる。又は、ブロック９８の論理は、ＣＥデバイスの特定のモデルであるＣＣＳＤの１つに対してのみ決定ダイアモンド９６での肯定的テストによって実行することができる。この状況において、例えば、タブレットコンピュータ及び移動電話の両方が決定ダイアモンド９６にて肯定的テストをトリガした場合、ブロック９８において、タブレットコンピュータが電話よりも大きなディスプレイを有する可能性が高いという理由で、タブレットコンピュータだけにメッセージを送信することができる。
【００４５】
ブロック９８の論理に加えて、又はこの代替として、ブロック１００において、決定ダイアモンド９６にて肯定的テストをトリガする少なくとも１つのＣＣＳＤに関して、ＣＣＳＤは、（ＰＤＤからのコマンドによって）特定のネットワークサイト（例えば一次コンテンツを伴うメタデータからのＰＤＤによって識別される）に自動的にアクセスし、更にこれを達成するための何れかのユーザ動作もなしに、補助フィード／コンテンツ／データのダウンロードを自動的に開始するようにさせることができる。
【００４６】
図４は追加の例示的な論理を示す。ブロック１０２にて始まり、ＰＤＤは、ＩＲを使用してＣＣＳＤにＰＩＮＧを、基本的には無線メッセージを送信することができる。無線メッセージは、例えば、上述の方法の何れか１つによって発見された各ＣＣＳＤのネットワークアドレスにアドレス指定される。無線メッセージは、ＩＲを使用して（例えばＩＲＤＡを使用して）応答するよう、又はＢｌｕｅｔｏｏｔｈ又はＷｉ−Ｆｉを使用して応答するよう、受信側ＣＣＳＤに指示する値を含む。この値は、曖昧さを低減するために、特定の応答コードを備えたコードに応答するよう受信側ＣＣＳＤに指示することができる。
【００４７】
決定ダイアモンド１０４に進み、要求されたプロトコルを通じて要求時に正しい応答コードを含む、１又はそれ以上のＣＣＳＤからの無線メッセージに対する正しい応答をＰＤＤが受信するかどうかが決定される。ここでＩＲは壁を通過することができないので、応答を要求するそのＩＲメッセージへの正しい応答を受信するＰＤＤは、応答が送信されるプロトコルが何であろうとも、応答発信者がＰＤＤと同じ部屋にいることを推測することができ、従って、本目的において、ＣＣＳＤが補助データを提示するための優良な候補になる可能性があることを決定できることは理解できる。
【００４８】
決定ダイアモンド１０４での肯定的テストに応答して、論理はブロック１０６に進むことができる。決定ダイアモンド１０４において、１つのＣＣＳＤだけが肯定的テストを生じた場合、ブロック１０６において、（例えば、ＰＤＤからＢｌｕｅｔｏｏｔｈ送信機３４を介して、又はＮＦＣ要素３６を介して、又はネットワークインタフェース２０を介して、又はＩＲ要素４２を介して）ＣＣＳＤに（例えば、その適切なネットワークアドレスを使用して）ＰＤＤに対するコンパニオンスクリーンとしてのＣＣＳＤの使用を要請するメッセージを送信することができる。このようなメッセージの実施例が以下で更に示される。図２のブロック９２の論理は、要請されたＣＣＳＤのユーザが要請を受け入れた場合に利用することができる。
【００４９】
複数のＣＣＳＤが決定ダイアモンド１０４に対する肯定的応答をトリガした場合、ブロック１０６の論理をこのような各ＣＣＳＤに対して実行し、このような各ＣＣＳＤＤにメッセージを送信することができる。又は、ブロック１０６の論理は、最大信号強度を有する応答信号を送信するＣＣＳＤの１つに対してのみ実行することができる。又は、ブロック１０６の論理は、ＣＥデバイスの特定のモデルであるＣＣＳＤの１つに対してのみ決定ダイアモンド１０４の肯定的テストによって実行することができる。この状況において、例えば、タブレットコンピュータ及び移動電話の両方が決定ダイアモンド１０４にて肯定的テストをトリガした場合、ブロック１０６において、タブレットコンピュータが電話よりも大きなディスプレイを有する可能性が高いという理由で、タブレットコンピュータだけにメッセージを送信することができる。
【００５０】
ブロック１０６の論理に加えて、又はこの代替として、ブロック１０８において、決定ダイアモンド１０４にて肯定的テストをトリガする少なくとも１つのＣＣＳＤに関して、ＣＣＳＤは、（ＰＤＤからのコマンドによって）自動的に特定のネットワークサイト（例えば、一時コンテンツを伴うメタデータからのＰＤＤによって識別された）にアクセスし、これを達成するための何れかのユーザ動作もなしに、補助フィード／コンテンツ／データのダウンロードを自動的に開始するようにさせることができる。
【００５１】
状態９４、９６、１０２、１０４の論理は、代替としてＣＣＳＤによって達成することができ、この場合には、状態９６（場合によってはケース１０４）での肯定テストの場合、ＣＣＳＤは、ＣＣＳＤがＰＤＤと同じ部屋にあるという旨のメッセージを適切なリンクを通じてＰＤＤに送信することができ、このようにして、補助コンテンツを受信及び／又は提示する準備が整えられる点に留意されたい。
【００５２】
図５は、上述の「メッセージ要請」ブロックの何れか１つに従って、ＣＣＳＤのディスプレイ５０上に例示的な要請メッセージ１４２を提示する例示的なＵＩを示す。ユーザは、ＰＤＤに対するコンパニオンスクリーンであるとしてＣＣＳＤを受け付けるために、「はい」セレクタ要素１４４を選択することができ、この場合、ＰＤＤは、ＣＣＳＤへのリンクをコンピュータサイト又はブロードキャストサイト又は他のサイトに送信して、補助コンテンツをダウンロードする、又は受信するが一次ディスプレイ１４上には表示しないデータからの補助コンテンツ自体を提供するようにすることができる。又は、セレクタ１４４の選択に応答して、ＰＤＤは、ＣＣＳＤに対して、自動的に及びユーザ対話なしに上述のように補助コンテンツのダウンロードを開始させることができる。ユーザは、「いいえ」セレクタ要素１４６を選択することによって、コンパニオンデバイスとしてＣＣＳＤが使用されることを拒否することができる。
【００５３】
図６は、上述の「自動リンク付け」ブロックの何れか１つに従って、ＣＣＳＤのディスプレイ５０上に提示することができるＵＩを示す。図示のように、メッセージ１４８は、ＣＣＳＤのユーザに、ＣＣＳＤがコンパニオンデバイスとして選択されたことを通知することができ、ディスプレイ５０のウィンドウ１５０が、補助コンテンツを提示するのに使用され、これは、ＣＣＳＤ信号強度が閾値テストを満たすと、ユーザ対話なしにリコールが自動的に発効される。選択時に、ＰＤＤに対するコンパニオンスクリーンとしての使用からＣＣＳＤを少なくとも一時的に切断又は他の方法で使用不可にする拒否セレクタ１５２を提示することができる。
【００５４】
図７は、セットアップモードでＣＣＳＤのディスプレイ５０上に提示して、図５及び図６において具現化された２つのモードの間をユーザが基本的に選択できるようにする例示的なＵＩを示す。ＣＣＳＤがＰＤＤと同じ部屋にある時に、ＣＣＳＤがＰＤＤに対するコンパニオンスクリーンとして自動選択されることをユーザが望むかどうかをユーザに訊ねるメッセージ１５４を提示することができる。イエスセレクタ１５６は、ユーザがこの機能を選択できるようにし、ノーセレクタ１５８は、ユーザがコンパニオンスクリーンとしてＣＣＳＤの自動選択を拒否できるようにする。
【００５５】
本明細書では、特定の「赤外線シグナリングを使用して一次ディスプレイと同じ部屋にある候補コンパニオンディスプレイデバイスを近接検出する方法」が示され詳細に説明されたが、本発明によって包含される主題は請求項によってのみ限定される点を理解されたい。
【符号の説明】
【００５６】
１２  一次ディスプレイ
１４  ディスプレイ
１６  スピーカ
１８  入力デバイス
２０  ネットワークインタフェース
２２  ネットワーク
２４  プロセッサ
２６  ポート
２８  媒体
３０  ＧＰＳ
３２  カメラ
３４  Ｂｌｕｅｔｏｏｔｈ
３６  近距離通信要素
３７  補助センサ
３８  気候センサ
４０  生体計測センサ
４２  赤外線
４４  第１ＣＥデバイス
４６  候補コンパニオンスクリーン
４８  壁
５０  候補コンパニオン
５２  スピーカ
５４  入力デバイス
５６  ネットワークインタフェース
５８  プロセッサ
６０  ポート
６２  媒体
６４  ＧＰＳ
６６  カメラ
６８  Ｂｌｕｅｔｏｏｔｈ
７０  近距離通信要素
７２  補助センサ
７４  気候センサ
７６  生体計測センサ
７８  赤外線
８０  サーバ
８２  プロセッサ
８４  媒体
８６  ネットワークインタフェース
【図１】
2015171148.tif 000003
【図２】
2015171148.tif 000004
【図３】
2015171148.tif 000005
【図４】
2015171148.tif 000006
【図５】
2015171148.tif 000007
【図６】
2015171148.tif 000008
【図７】
2015171148.tif 000009
【外国語明細書】
2015171148000001.pdf